【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
移植片源に向かって切除ツールを案内するように構成された切除ガイドであって、
切除ガイド本体を含み、前記切除ガイド本体が、
外部の外側本体表面と、
前記外側本体表面の反対側にあり、長手方向に沿って細長い内側本体表面であって、前記内側本体表面が、第１の終端縁、及び前記長手方向に垂直な選択方向に沿って第１の寸法だけ前記第１の終端縁からオフセットした第２の終端縁を有し、前記内側本体表面が、前記第１の終端縁から前記第２の終端縁まで凹状である、内側本体表面と、
前記内側本体表面から前記外側本体表面を貫通して延びる、第１及び第２の切除ガイド開口部と、を画定し、
前記第１及び第２の切除ガイド開口部が、前記移植片源から移植片部分を切除するために、前記切除ツールの一部分を受容して、前記第１及び第２の切除ガイド開口部のそれぞれに沿って前記切除ツールを案内するように構成された第１及び第２の移植片切除軸のそれぞれを画定し、
前記切除ガイド本体が、前記第１及び第２の切除ガイド開口部のそれぞれについて、前記第１及び第２の切除ガイド開口部のうちの一方を少なくとも部分的に画定する第１及び第２の内表面を画定し、前記第２の内表面が、前記第１及び第２の移植片切除軸のそれぞれに沿って前記第１の内表面から離間しており、前記第２の内表面が、前記選択方向に対して最小寸法だけ前記第１の内表面からオフセットしており、前記最小寸法が、前記第１の寸法より大きい、切除ガイド。
【請求項２】
前記切除ガイド本体は、前記第１及び第２の切除ガイド開口部のそれぞれについて、前記第１及び第２の切除ガイド開口部のそれぞれを少なくとも部分的に画定するように前記第１の内表面と前記第２の内表面との間に延びる、対向する第３及び第４の内表面を画定し、前記第１の内表面が前記第２の内表面と対向し、前記第３の内表面が前記第４の内表面と対向し、かつ前記第３及び第４の内表面は、前記切除ツールが前記第１及び第２の移植片切除軸のそれぞれに沿って案内される際に前記切除ツールと接触するように構成されている、請求項１に記載の切除ガイド。
【請求項３】
前記第１の軸と前記第２の軸とが互いに対して角度的にオフセットされている、請求項１又は２に記載の切除ガイド。
【請求項４】
前記第１の切除ガイド開口部が、前記第２の切除ガイド開口部から離間している、請求項１に記載の切除ガイド。
【請求項５】
前記内側本体表面から前記外側本体表面を貫通して延びる、第３の切除ガイド開口部を更に含み、
前記第３の切除ガイド開口部が、前記第１及び第２の切除ガイド開口部のうちの一方と交差する、請求項４に記載の切除ガイド。
【請求項６】
前記第１の切除ガイド開口部が、前記第２の切除ガイド開口部と交差する、請求項１に記載の切除ガイド。
【請求項７】
前記切除ガイド本体が、前記長手方向に延びる中心軸に沿って細長く、
前記第１及び第２の内表面が、前記第１及び第２の終端縁よりも、前記選択方向に沿って前記中心軸から更に離間している、請求項１に記載の切除ガイド。
【請求項８】
前記第１及び第２の切除ガイド開口部のそれぞれについて、前記切除ガイド本体の内表面が、前記第１及び第２の切除ガイド開口部のそれぞれの周りに閉鎖形状を画定しており、前記閉鎖形状が、単一平面にある、請求項１に記載の切除ガイド。
【請求項９】
前記切除ガイド本体が、長手方向に沿って細長く、
前記第１及び第２の切除ガイド開口部のうちの少なくとも一方が、前記長手方向に垂直な方向において細長い、請求項１に記載の切除ガイド。
【請求項１０】
前記切除ガイド本体が、前記長手方向に沿った前記第１の切除ガイド開口部から前記第２の切除ガイド開口部までの第２の最小寸法を定め、前記第２の最小寸法が、前記選択方向に沿った前記第１の終端縁から前記第２の終端縁までの前記第１の寸法より大きい、請求項１に記載の切除ガイド。
【請求項１１】
移植片源に向かって切除ツールを案内するように構成された切除ガイドであって、
切除ガイド本体を含み、前記切除ガイド本体が、
外部の外側本体表面と、
前記外側本体表面の反対側にあり、長手方向に沿って細長い内側本体表面であって、前記内側本体表面が、第１の終端縁、及び前記長手方向に垂直な選択方向に沿って前記第１の終端縁から離間した第２の終端縁を有し、前記内側本体表面が、前記第１の終端縁から前記第２の終端縁まで凹状である、内側本体表面と、
前記内側本体表面から前記外側本体表面を貫通して延び、互いに、かつ前記第１及び第２の終端縁のうちの少なくとも一方と交差する、第１及び第２の切除ガイド開口部と、を画定し、
前記第１及び第２の切除ガイド開口部が、前記移植片源から移植片部分を切除するために、前記切除ツールの一部分を受容して、前記第１及び第２の切除ガイド開口部のそれぞれに沿って前記切除ツールを案内するように構成された第１及び第２の移植片切除軸のそれぞれを画定する、切除ガイド。
【請求項１２】
前記切除ガイド本体が、前記第１及び第２の切除ガイド開口部のそれぞれについて、対向する第１及び第２の内表面を画定し、前記対向する第１及び第２の内表面は、前記第１及び第２の切除ガイド開口部のそれぞれを少なくとも部分的に画定し、前記切除ツールが前記第１及び第２の移植片切除軸のそれぞれに沿って案内される際に前記切除ツールと接触するように構成されている、請求項１１に記載の切除ガイド。
【請求項１３】
前記切除ガイド本体が、前記第１及び第２の切除ガイド開口部のそれぞれについて、対向する第３及び第４の内表面を画定し、前記対向する第３及び第４の内表面が、対向する前記第１の内表面と前記第２の内表面との間に延びており、前記第１及び第２の切除ガイド開口部のそれぞれを少なくとも部分的に画定し、
前記内側本体表面の前記第１及び第２の終端縁が、前記第３の内表面と前記第４の内表面との間で離間している、請求項１２に記載の切除ガイド。
【請求項１４】
前記切除ガイド本体が、前記第１及び第２の切除ガイド開口部のそれぞれについて、前記第１及び第２の切除ガイド開口部のそれぞれを少なくとも部分的に画定するように、第１の内表面と、前記第１の内表面から離間した第２の内表面とを画定し、
前記内側本体表面の前記第１及び第２の終端縁が、前記第１の内表面と前記第２の内表面との間で離間している、請求項１１に記載の切除ガイド。
【請求項１５】
前記切除ガイド本体が、前記第１及び第２の切除ガイド開口部のそれぞれについて、対向する第１及び第２の内表面と、対向する第３及び第４の内表面とを画定し、
前記第１〜第４の内表面が、前記第１及び第２の切除ガイド開口部のそれぞれを少なくとも部分的に画定しており、
前記第１の内表面が前記第２の内表面と対向し、前記第３の内表面が前記第４の内表面と対向する、請求項１１に記載の切除ガイド。
【請求項１６】
前記第１及び第２の切除ガイド開口部のそれぞれについて、前記切除ガイド本体の内表面が、前記第１及び第２の切除ガイド開口部のそれぞれの周りに閉鎖形状を画定しており、前記閉鎖形状が、単一平面にある、請求項１１に記載の切除ガイド。
【請求項１７】
前記切除ガイド本体が、長手方向に沿って細長く、
前記第１及び第２の切除ガイド開口部のうちの少なくとも一方が、前記長手方向に垂直な方向において細長い、請求項１１に記載の切除ガイド。
【請求項１８】
前記切除ガイド本体が、前記第１及び第２の切除ガイド開口部のうちの各切除ガイド開口部について、第１の内表面と、前記第１及び第２の移植片切除軸のそれぞれに沿って前記第１の内表面から離間した第２の内表面と、を画定し、前記切除ガイド開口部が、前記第１の内表面から前記第２の内表面まで細長く、
前記第１の切除ガイド開口部の前記第１の内表面が、前記長手方向に対して、前記第２の切除ガイド開口部の前記第１の内表面から離間している、請求項１１に記載の切除ガイド。